(57)【要約】  【課題】  新たな運動器具を提供する。  【解決手段】  少なくとも使用者の背中及び臀部を乗せて使用される運動器具であって、使用者の背中を支持する第１支持部と、使用者の臀部を、第１支持部が背中を支持する方向である支持方向に支持する第２支持部と、を備える。第１支持部と第２支持部との間には、支持方向とは反対の反対方向に向かって使用者の腰部が進入可能な領域である進入領域が形成されている。進入領域は、第１支持部により背中が支持される位置である第１位置、及び、第２支持部により臀部が支持される位置である第２位置、のいずれよりも、反対方向側に位置している領域である。【選択図】図１
2017042411.tif 000002
【特許請求の範囲】
【請求項１】
少なくとも使用者の背中及び臀部を乗せて使用する運動器具であって、
前記使用者の背中を支持する第１支持部と、
前記使用者の臀部を、前記第１支持部が前記背中を支持する方向である支持方向に支持する第２支持部と、を備え、
前記支持方向とは反対の反対方向に向かって前記使用者の腰部が進入可能な領域であって、前記第１支持部により前記背中が支持される位置である第１位置、及び、前記第２支持部により前記臀部が支持される位置である第２位置、のいずれよりも、前記反対方向側に位置する領域である進入領域が形成されている
ことを特徴とする運動器具。
【請求項２】
前記第１支持部及び前記第２支持部の間に配置され、前記反対方向に向かって凹んだ凹部が形成された凹部形成部を備え、
前記進入領域は、前記凹部の内部の領域であり、
前記凹部は、前記第１支持部と前記第２支持部とが並ぶ方向に関して、当該凹部の中央に向かって凹みの深さが深くなる部分を有する
ことを特徴とする請求項１に記載の運動器具。
【請求項３】
前記第１位置と前記第２位置との間の前記支持方向に関する間隔は１ｃｍ以下である
ことを特徴とする請求項１又は請求項２に記載の運動器具。
【請求項４】
前記第１支持部は、該第１支持部と前記第２支持部とが並ぶ方向と直交し、かつ前記支持方向と直交する方向である交差方向の中間部分が、前記交差方向の両端部分よりも柔軟性が小さい部材により構成されている
ことを特徴とする請求項１から請求項３のいずれか１項に記載の運動器具。
【請求項５】
前記第２支持部は、気体及び液体のうち少なくともいずれか一方が封入された袋状の部材である
ことを特徴とする請求項１から請求項４のいずれか１項に記載の運動器具。
【請求項６】
前記進入領域において前記腰部が最も深く進入可能である位置である第３位置と前記第１位置との前記支持方向に関する間隔、及び、前記第３位置と前記第２位置との前記支持方向に関する間隔は、いずれも１ｃｍ以上８ｃｍ以下である
ことを特徴とする請求項１から請求項５のいずれか１項に記載の運動器具。
【発明の詳細な説明】
【技術分野】
【０００１】
本発明は、運動器具に関する。
【背景技術】
【０００２】
運動器具として、全体が長尺の柱状の形状であって、床面などに置いて使用し、その上面に使用者の頭部から臀部までを載せて用いられる運動器具が提案されている（特許文献１参照）。この運動器具は身体のストレッチを目的としている。
【先行技術文献】
【特許文献】
【０００３】
【特許文献１】特開２０１１−１０７６７号公報
【発明の概要】
【発明が解決しようとする課題】
【０００４】
手軽に行うことのできる運動の一つに、数十秒程度連続してお腹をへこませることでお腹周りの筋肉を鍛える、いわゆるドローインがある。しかしながら、このドローインを適切に行うための運動器具は従来存在していなかった。
【０００５】
本発明の目的は、新たな運動器具を提供することである。
【課題を解決するための手段】
【０００６】
上述した問題を解決するためになされた発明は、少なくとも使用者の背中及び臀部を乗せて使用される運動器具であって、前記使用者の背中を支持する第１支持部と、前記使用者の臀部を、前記第１支持部が前記背中を支持する方向である支持方向に支持する第２支持部と、を備え、前記支持方向とは反対の反対方向に向かって前記使用者の腰部が進入可能な領域であって、前記第１支持部により前記背中が支持される位置である第１位置、及び、前記第２支持部により前記臀部が支持される位置である第２位置、のいずれよりも、前記反対方向側に位置する進入領域が形成されていることを特徴とする。
【０００７】
このように構成された運動器具は、ドローインを行って腹筋に力を入れてお腹を引っ込めたときに、腰部が背中側に飛び出しても、その飛び出した部分を進入領域に収めることができる。よって上述した運動器具は、ドローインによる体の動きを妨げることを抑制できれ、ドローインを良好に行わせることができる。
【０００８】
また、上述した運動器具は、前記第１支持部及び前記第２支持部の間に配置され、前記反対方向に向かって凹んだ凹部が形成された凹部形成部を備え、前記進入領域は、前記凹部の内部の領域であり、前記凹部は、前記第１支持部と前記第２支持部とが並ぶ方向に関して、当該凹部の中央に向かって凹みの深さが深くなる部分を有するように構成されていてもよい。
【０００９】
このように構成された運動器具は、進入領域を形成する凹部の深さが徐々に変化することから、凹部の壁面に背中などが触れたときに段差を感じて不快に感じてしまうことを抑制できる。
【００１０】
また上述した運動器具において、前記第１位置と前記第２位置との間の前記支持方向に関する間隔は１ｃｍ以下であるように構成されていてもよい。
このように構成された運動器具は、背中と臀部とを近い高さで支持するため、ドローインを良好に行わせることができる。
【００１１】
また上述した運動器具において、前記第１支持部は、該第１支持部と前記第２支持部とが並ぶ方向と直交し、かつ前記支持方向と直交する方向である交差方向の中間部分が、前記交差方向の両端部分よりも柔軟性の小さい部材により構成されていてもよい。
【００１２】
このように構成された運動器具は、背中を第１支持部に載せると第１支持部の左右両端部分が使用者の後方に移動するため、使用者の胸を開く運動をドローインと同時に行わせることができる。
【００１３】
また上述した運動器具において、前記第２支持部は、気体及び液体のうち少なくともいずれか一方が封入された袋状の部材であってもよい。
このように構成された運動器具は、第２支持部により臀部を左右に動かす運動を行いやすくなっているため、ドローインと臀部を動かす運動とを組み合わせた効果的な運動を容易に行うことができる。
【００１４】
また、上述した運動器具は、前記進入領域において前記腰部が最も深く進入可能である位置である第３位置と前記第１位置との前記支持方向に関する間隔、及び、前記第３位置と前記第２位置との前記支持方向に関する間隔は、いずれも１ｃｍ以上８ｃｍ以下であるように構成されていてもよい。
【００１５】
このように構成された運動器具は、ドローインによる背中の飛び出しを十分に収めることができ、ドローインを好適に実現させることができる。
【図面の簡単な説明】
【００１６】
【図１】運動器具を示す斜視図である。
【図２】運動器具の内部を示す図であって、図２（Ａ）が透明斜視図であり、図２（Ｂ）が平面図であり、図２（Ｃ）が左側面図であり、図２（Ｄ）が正面図である。
【図３】運動器具の使用方法を説明する図であって、図３（Ａ）が使用者が仰向けに載った状態であり、図３（Ｂ）がドローインを行った状態であり、図３（Ｃ）が足を持ち上げた状態である。
【図４】運動器具の変形例を説明する図である。
【発明を実施するための形態】
【００１７】
以下に本発明の実施形態を図面と共に説明する。
［１．実施形態］
（１−１）全体構成
本実施形態の運動器具１は、数十秒程度連続してお腹をへこませることでお腹周りの筋肉を鍛える、いわゆるドローインを行うことに適した運動器具であって、図１に示すように、長尺状で厚みを有しており、床面に置いて使用するものである。この運動器具１は、図３（Ａ）などに示すように、使用者の臀部、背中、頭部を載せて使用することができる。
【００１８】
以下の記載において、説明の便宜上、床面側を下方向とし、その反対方向を上方向とし、また運動器具１の長手方向を前後方向とし、また使用者が仰向けに運動器具１に載った載るときの左右を左右方向として記載する。なお、上方向が支持方向の一例であり、下方向が反対方向の一例であり、上下方向及び前後方向と直交する左右方向が交差方向の一例である。
【００１９】
運動器具１は、前後方向に並ぶ第１支持部２１及び第２支持部２３と、それらの間に配置される凹部形成部２５と、を有する。これらは、図２（Ａ）〜（Ｃ）にされるように、それぞれ別の部品により構成されており、薄い布状のカバー１１（図１参照）によって被覆され一体化している。なお、カバー１１はデザイン性向上と防汚が主目的でありドローインに大きな影響を与えるものではないため、以下の説明ではカバー１１を省略する。
【００２０】
第１支持部２１は、使用者の背中を支持する部分である。第１支持部２１は、前後に長さを有する柱部３１と、柱部３１の左右両側に配置され、前後に長さを有する左右一対の側方支持部３３と、を有している。柱部３１は下部が前後に長さを有する角柱形状であって、上部が前後に長さを有する上に凸の半円柱形状である。側方支持部３３は角柱形状である。
【００２１】
第２支持部２３は、使用者の臀部を支持する部分である。第２支持部２３は上方から見て略矩形であり、上下方向に高さを有する。この第２支持部２３は袋状の部材であって、その内部には空気が封入されている。第２支持部２３の角部分は丸みを帯びており、特に前方上部の辺に関する曲率半径が他の辺や角よりも大きく形成されている。
【００２２】
なお、第２支持部２３は荷重が加わると変形する。但し、左右に臀部の重心を偏らせることなく第２支持部２３の中央に臀部を載せた場合には、第２支持部２３は大きく圧縮や変形をしない。一方、使用者が臀部を動かすなどして第２支持部２３の左右に臀部の重心を偏らせると、体重を掛けた側の高さが小さくなるように、比較的大きく変形する。
【００２３】
凹部形成部２５は、上方から見ると略矩形であるが、図２（Ｃ）などに明確に示されるように、左右側方から見ると、運動器具１の長さ方向（すなわち前後方向）の中間部分に、下向きに凹んだ凹部４１が形成されている。
【００２４】
凹部４１における前方部分の壁面は、後方に向かって徐々に凹みの深さが深くなる第１傾斜面４３として形成されている。一方、凹部４１における後方部分の壁面は、前方に向かって徐々に凹みの深さが深くなる第２傾斜面４５として形成されている。すなわち凹部４１は、凹部４１の前後方向の中央に向かって凹みの深さが深くなる。
【００２５】
次に、運動器具１の各構成要素の高さについて説明する。以下の説明において、高さとは各構成要素の下面からの高さ（すなわち、床面からの高さ）を意味する。
図２（Ｃ）、（Ｄ）に示すように、第１支持部２１の柱部３１の高さをＬ１、第２支持部２３の高さをＬ２、凹部形成部２５の凹部４１の最も低い位置の高さをＬ３とすると、Ｌ１＝Ｌ２＞Ｌ３となる。一例として、Ｌ１及びＬ２を８０ｍｍ、Ｌ３を５５ｍｍとすることができる。
【００２６】
第１傾斜面４３は第１支持部２１に近づくほど徐々に高さが高くなり、凹部４１の前方端部では柱部３１と同じ高さ（Ｌ３）になる。第２傾斜面４５は第２支持部２３に近づくほど徐々に高さが高くなるが、第２支持部２３の主要部分の高さ（Ｌ２）よりも低い位置までしか高くならない。なお、第２支持部２３の前端が下がっているため、凹部４１の後方端部は第２支持部２３と小さな段差で繋がる。
【００２７】
なお、第２支持部２３に臀部を載せると若干高さが変化するが、第２支持部２３の中心に臀部を乗せて左右に重心を偏らせることなく載せた場合には、高さはＬ２とほぼ同じであり、Ｌ３よりも十分に大きい。
【００２８】
また、他の部分の寸法の一例を以下に示す。これらはあくまで設計の一例であって、この寸法に何ら限定されることはない。
運動器具１の左右方向の幅は２００ｍｍとすることができる。また前後方向に長さについて、第１支持部２１は３８０ｍｍ、第２支持部２３は２２０ｍｍ、凹部形成部２５は２４０ｍｍとすることができる。また、柱部３１の幅は８２ｍｍ、側方支持部３３それぞれの幅は５９ｍｍとすることができる。また側方支持部３３それぞれの高さは、柱部３１よりもやや低く、７７ｍｍとすることができる。
【００２９】
次に、運動器具１の柔軟性について説明する。
柱部３１と側方支持部３３とを比較すると、側方支持部３３の方が同じ圧力を加えたときに圧縮されやすい材料で形成されている。言い換えると、第１支持部２１は、左右方向の中間部分が、左右方向の両端部分よりも柔軟性の小さい部材により構成されている。ここでいう柔軟性とは、同じ圧力を加えたときの高さの減少の度合である。つまり、柔軟性が大きいほど、上面に下方向への圧力を受けたときに高さが小さくなる。
【００３０】
材料の一例として、柱部３１を発泡ポリエチレン、側方支持部３３を発泡ポリウレタンで形成することができる。凹部形成部２５の材料は特に限定されないが、例えば柱部３１と同じ材料で形成することができる。第２支持部２３は、一例としてポリ塩化ビニルにより形成することができる。
【００３１】
もちろん、上述した材料はあくまで一例であり、様々な材料により形成することができる。例えば、様々な合成樹脂や金属、木材、皮革などを採用することができる。
（１−２）使用例
図３（Ａ）〜（Ｃ）を用いて運動器具１の使用方法の一例を説明する。
【００３２】
図３（Ａ）に示すように、使用者は背中及び頭部を第１支持部２１に載せ、臀部を第２支持部２３に載せて仰向けに寝ることができる。背中は第１支持部２１によって上方向に支持され、臀部は第２支持部２３によって上方向に支持される。なおここでいう支持方向は、各部に使用者の身体から加わる荷重の方向と反対向きの方向である。つまり本実施形態のように重力によって下向きに荷重が加わる場合、支持方向は上方向となる。
【００３３】
凹部形成部２５の凹部４１は、第１支持部２１と第２支持部２３との間に位置する。この凹部４１の内部の領域が、支持方向（すなわち上方向）とは反対の反対方向（すなわち下方向）に向かって使用者の腰部が進入可能な領域である進入領域となる。なお、ここでいう領域とは、三次元の広がりを持つ範囲である。
【００３４】
第１支持部２１により背中が支持される位置である第１位置７１は、体重による柱部３１の変形が小さいため、床面からの高さがほぼＬ１と等しくなる。また、第２支持部２３により臀部が支持される位置である第２位置７３の高さも、ほぼＬ２と等しくなる。
【００３５】
凹部４１の内部の領域は、Ｌ１及びＬ２よりも低いＬ３まで到達している。つまり、凹部４１の内部の領域は、第１位置７１及び第２位置７３のいずれよりも、上下方向に関して、下方向側に位置しているといえる。
【００３６】
図３（Ａ）に示した状態から使用者がドローインを行うと、腹筋が収縮して背中が丸まるため、腹筋に力を入れると腰部の背面側が丸まって飛び出す。そのとき図３（Ｂ）に示すように、飛び出した腰部は凹部４１に進入する。
【００３７】
つまり運動器具１は、ドローインを行うときに支持すべき背中と臀部とを支持しつつ、腰部の下方への移動を妨げないため、ドローインを良好に行わせることができる。
なおドローインは、使用者の背中と臀部の高さが近い状態で行うことで効果的なものとなるが、この運動器具１は、第１位置７１と第２位置７３との高さが近いため、ドローインを好適に行わせることができる。
【００３８】
また、第２支持部２３が臀部の体重移動により変形するため、臀部を左右に揺らす運動を容易に行うことができる。そして、この運動と、上述したドローインとを同時に行うことで、運動の効果を向上させることができる。また、図３（Ｃ）に示すように、脚を上に上げつつこれらの運動を行うことで更に運動を効果的なものとすることができる。
【００３９】
また、運動器具１に使用者が仰向けに横たわることで、柱部３１を中心として、胸を広げる運動を行うことができる。使用者が背中を第１支持部２１に乗せると、柱部３１は大きく圧縮されずに背中を支えるが、側方支持部３３は比較的大きく圧縮されるため、図３（Ｃ）の矢印に示すように左右両方の肩が下がり、使用者の胸が開くこととなる。
【００４０】
（１−３）効果
（１Ａ）本実施形態の運動器具１では、ドローインを行ってお腹を引っ込めたときに腰部が背面側に反って飛び出しても、その飛び出した部分が凹部４１に収まる。そのため背中の飛び出しが妨げられず、ドローインを好適に実行することができる。
【００４１】
また、凹部４１は背中や臀部を支持する高さと比較して２５ｍｍほど凹んでいるため、十分に背中の飛び出しを収めることができ、ドローインを好適に実現させることができる。また、第１支持部２１と第２支持部２３が使用者の背中と臀部とを同じ高さで支持するため、ドローインを良好に行うことができる。
【００４２】
（１Ｂ）本実施形態の運動器具１では、凹部４１は、前後方向に関して中央に向かって徐々に凹みの深さが深くなるように構成されているため、背中や腰に段差を感じて不快に感じてしまうことを抑制できる。また、凹部形成部２５は、凹部４１の前後の部分を含めて第１支持部２１及び第２支持部２３の端部の高さよりも低くなっており、上方に突出する部分がないため、更に背中や腰に感じる不快感の低減を図ることができる。
【００４３】
（１Ｃ）本実施形態の運動器具１では、第２支持部２３により、臀部を左右に動かす運動を行いやすくなっている。そのため、使用者はドローインと臀部を動かす運動とを組み合わせた効果的な運動を容易に行うことができる。
【００４４】
（１Ｄ）本実施形態の運動器具１では、第１支持部２１によって、使用者の胸を開く運動を行わせることができる。
［２．その他の実施形態］
以上本発明の実施形態について説明したが、本発明は、上記実施形態に何ら限定されることはなく、本発明の技術的範囲に属する限り種々の形態をとり得ることはいうまでもない。
【００４５】
（２Ａ）上記実施形態では第１支持部２１と第２支持部２３との間に凹部形成部２５が形成される構成を例示した。しかしながら、第１支持部２１と第２支持部２３の支持方向とは反対の反対方向に向かって使用者の腰部が進入可能な領域である進入領域が形成されていれば、凹部形成部２５の形状は上述したものに限定されず、また、凹部形成部２５を有さない構成であってもよい。
【００４６】
例えば、図４（Ａ）に示す運動器具１ａのように、運動器具は、第１支持部８１及び第２支持部８３と、それらを連結する連結部８５と、を備えるように構成されていてもよい。この運動器具は、第１支持部８１と第２支持部８３との間に、腰部が進入可能な進入領域８７を有しており、ドローインを良好に実行させることができる。
【００４７】
また、図４（Ｂ）に示す運動器具１ｂのように、第１支持部及び第２支持部の機能を有する本体部９１には凹部９３が設けられているが、伸縮する矩形のカバー９５によって覆われることによって外観からは凹部９３が視認できないように構成されていてもよい。また凹部９３に柔軟性の高いスポンジ９７が配置されていてもよい。このように構成された運動器具１ｂでは、ドローインを行うと腰部がカバー９５やスポンジ９７を押し込んで凹部９３に進入する。
【００４８】
このように、腰部が進入可能な領域とは、ドローインを行うときに腰部が進入可能な領域であればよく、何らの部材も存在しない空間である必要はない。
（２Ｂ）上記実施形態では、運動器具１は、背中を支持する第１支持部２１と臀部を支持する第２支持部２３とが水平方向に並んでおり、その上に使用者が床面に沿って仰向けになって用いる構成を例示した。しかしながら、第１支持部と第２支持部が身体を支持する支持方向が同じであれば、第１支持部と第２支持部との高さが相違するように構成されていてもよい。
【００４９】
例えば図４（Ｃ）に示す運動器具１ｃのように、第１支持部１０１側が第２支持部１０３側より高くなるように構成されていてもよいし、反対に、第１支持部１０１側が低くなるように構成されていてもよい。
【００５０】
この場合において、凹部１０５は、背中が支持される第１位置１１１及び臀部が支持される第２位置１１３のいずれに対しても、矢印１２１で示す支持方向に関して、矢印１２３で示す反対方向の側に位置している。なお、第１支持部１０１と第２支持部１０３の支持方向は、背中が支持される第１位置１１１及び臀部が支持される第２位置１１３の並ぶ方向と直交し、かつ左右方向（紙面と直交する方向）と直交する方向である。
【００５１】
（２Ｃ）上記実施形態では、第１位置７１と第２位置７３とは同じ高さである構成を例示したが、同じでなくともよい。但し、その間隔が１ｃｍ以下であると、ドローインを行うための背中と臀部との位置が適当なものとなり、都合がよい。ここでいう間隔とは、支持方向に関する間隔である。
【００５２】
（２Ｄ）上記実施形態では、凹部４１の深さ、言い換えるとＬ１及びＬ２と、Ｌ３との差は２５ｍｍである構成を例示したが、凹部４１の深さは上記実施形態とは異なる深さであってもよい。
【００５３】
なお、凹部４１において腰部が最も深く進入可能である位置を第３位置としたとき、第３位置と第１位置７１の支持方向及び反対方向に関する間隔、及び、第３位置と第２位置の支持方向及び反対方向に関する間隔は、いずれも、１ｃｍ以上であるように構成することができる。このような間隔とすることで、腰部が進入するための十分な深さを確保することができる。なお、上記間隔を３ｃｍ以上とすることで、より高度に腰部の接触を抑制できる。
【００５４】
また、適切なドローインを実行させるため、腰部の過剰な進入領域への進入を抑制する目的で、上述した第３位置と、第１位置及び第２位置と、の間隔は８ｃｍ以下としてもよい。
【００５５】
（２Ｅ）上記実施形態では、運動器具１に臀部、背中、及び頭部を載せることができる構成を例示したが、少なくとも背中及び臀部を乗せることができればよく、頭部を載せることができない構成であってもよいし、脚部を載せる部分が設けられていてもよい。
【００５６】
（２Ｆ）上記実施形態において、第２支持部２３は、気体が封入された袋状の部材である構成を例示したが、気体及び液体の少なくともいずれか一方が封入されたものとすることができる。例えば液体のみが封入される構成であってもよいし、液体と気体とが封入される構成であってもよい。なお、封入される材料は運動器具１を使用する段階において気体及び液体であればよい。
【００５７】
（２Ｇ）第１支持部２１及び第２支持部２３は、背中及び臀部を同じ方向に支持するものであれば、その具体的な形状や機能は上記実施形態のものに限定されない。例えば、第１支持部２１は柔軟性の低い部分を有しておらず、左右方向全域に亘って同じ柔軟性である構成であってもよい。また第２支持部２３は袋状でなくともよい。例えば、柱部３１や凹部形成部２５と同様の材料で形成されていてもよい。
【００５８】
また第１支持部２１、第２支持部２３、凹部形成部２５が同じ材料で構成されていてもよいし、さらにこれらが一体に成形されていてもよい。
（２Ｈ）上記実施形態においては、凹部４１の前後両方に、凹部４１の中央に向かって凹みの深さが深くなる部分（第１傾斜面４３、第２傾斜面４５）が形成される構成を例示した。しかしながら、このような傾斜部分は凹部４１の前後いずれか一方においてのみ形成されていてもよいし、前後方向の一領域にのみ形成されていてもよい。傾斜部分が形成された箇所において、使用者の不快感を低減することができる。
【００５９】
なお、凹部４１を構成する壁面の前端及び後端は、使用者の腰部などが接触しやすい部分である。そのため、上述した前端及び後端の少なくともいずれか一方を含む部分に、上述した傾斜部分を形成してもよい。
【００６０】
（２Ｉ）上記実施形態におけるＭ個（Ｍは１以上の整数）の構成要素が有する機能をＮ個（ＮはＭより大きい整数）の構成要素として分散させたり、Ｎ個の構成要素が有する機能をＭ個の構成要素に統合させたりしてもよい。例えば、上記実施形態においては、第１支持部２１、第２支持部２３、凹部形成部２５がそれぞれ異なる部材により構成されていたが、第１支持部２１と凹部形成部２５とが、又は第２支持部２３と凹部形成部２５とが、１つ以上の共通の部材により構成されたものであってもよい。
【００６１】
また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００６２】
１，１ａ〜１ｃ…運動器具、１１…カバー、２１…第１支持部、２３…第２支持部、２５…凹部形成部、３１…柱部、３３…側方支持部、４１…凹部、４３…第１傾斜面、４５…第２傾斜面、８１…第１支持部、８３…第２支持部、８５…連結部、８７…進入領域、９１…本体部、９３…凹部、９５…カバー、９７…スポンジ、１０１…第１支持部、１０３…第２支持部、１０５…凹部。
【図１】
2017042411.tif 000003
【図２】
2017042411.tif 000004
【図３】
2017042411.tif 000005
【図４】
2017042411.tif 000006